【事件の表示】
　特願２０１４−　１４９８０「遠隔操作可能な自然会話型の測定システム」拒絶査定不服審判事件〔平成２７年　８月　３日出願公開、特開２０１５−１４１１４０〕について、次のとおり審決する。
【結　論】
　本件審判の請求は、成り立たない。
【理　由】
第１  手続の経緯
　この審判事件に関する出願（以下、「本件出願」という。）は、平成２６年　１月２９日にされた特許出願である。
　本件出願については、平成２９年　９月２１日付けで拒絶理由が通知され、同年１１月１５日に意見書が提出されるとともに特許請求の範囲及び明細書についての補正がなされたが、平成３０年　４月１９日付けで拒絶査定がなされ、査定の謄本が同年　５月　８日に送達された。
　これに対し、平成３０年　６月２８日に拒絶査定不服審判が請求され、同時に特許請求の範囲及び明細書についての補正がされた。
　更に、平成３１年　３月２５日付けで拒絶理由（以下、「当審拒絶理由」という。）が通知され、令和元年　５月２４日に意見書が提出されるとともに特許請求の範囲及び明細書についての補正（以下、「本件補正」という。）がされた。
第２  本件発明
　本件出願の請求項１に係る発明（以下、「本件発明」という。）は、本件補正がされた特許請求の範囲の請求項１に記載された事項により特定される以下のとおりのものである。
　
「　【請求項１】
　インスタント・メッセンジャー機能、及び、ユーザー入力を測定制御用メッセージに変換すると共に、測定機からのメッセージを操作画面表示用制御情報に変換するメッセージ情報変換機能、更に、音声と入力をメッセージに変換すると共に、前記測定機からの操作応答結果や測定結果を含む音声と情報を音声出力と画面表示に変換する音声＋操作情報変換機能を有する、通話可能なユーザー側の携帯端末と、
　インスタント・メッセンジャー機能、及び、前記測定制御用メッセージを測定機コマンドに変換して送信すると共に、前記測定機からの制御情報を操作画面表示用メッセージに変換するメッセージ変換機能、更に、音声を認識して制御コマンドに変換すると共に、前記測定機の応答を音声合成する音声認識・合成＋メッセージ変換機能を有する、前記ユーザー側の携帯端末と交信可能な通信端末と、
　該通信端末と信号をやりとりするための入出力部、測定部、及び、前記通信端末からの指令により該測定部を動作させると共に測定結果を返信する制御部を有する測定機と、
　を備えたことを特徴とする遠隔操作可能な自然会話型の測定システム。」
第３  当審拒絶理由の概要
　本件出願の請求項１ないし請求項１０に係る発明は、以下の引用文献１ないし引用文献５に記載された発明に基いて、その出願前にその発明の属する技術の分野における通常の知識を有する者が容易に発明をすることができたものであるから、特許法第２９条第２項の規定により特許を受けることができない。
        引用文献１．特開２０００−１６１９４５号公報
        引用文献２．特開平１０−３３９６３０号公報
        引用文献３．米国特許出願公開第２００７／０２８６１８１号明細書
        引用文献４．特開２００６−２３６３５３号公報
        引用文献５．米国特許出願公開第２００８／０３１３３５６号明細書
第４  引用文献に記載された発明等
１  引用文献１
　当審拒絶理由における引用文献１には、以下の記載がある。なお、下線は合議体が付したものである。
　
（１）  段落０００１
「【発明の詳細な説明】
【０００１】
【発明の属する技術分野】本発明は、画像測定機、
三次元測定機
測定機を遠隔場所から操作する遠隔操作式測定システム
（２）  段落００１２
「【００１２】一方、
遠隔操作端末２
画像測定機１から送信されてきた圧縮画像データはデータ通信部２１
で受信され
画像データ伸長部２２
画像データ伸長部は、圧縮画像データに対してＭＰＥＧデコード又は直線補間処理を施し、画像データをもとの画素数に伸長する
伸長された画像データは、画像表示部２３で表示される
操作指示部２４を介して入力された操作指示は、データ通信部２１を介して画像測定機１に転送される
画像測定機１
測定結果
送られ
測定結果表示部２５で表示される
（３）  段落００１６ないし００１８
「【００１６】図４は、この発明を三次元測定システムに適用した例を示す図である。
三次元測定機３と、前述した遠隔操作装置２とは、通信回線を介して相互に接続されている
三次元測定機３は、三次元測定機本体３１と、これを駆動制御する制御装置３２と、この制御装置３２に測定コマンドを出力したり、測定データに対して必要な演算処理を実行するコンピュータ３３とを備えて
【００１７】
測定機本体３１
プローブ４２
ワーク４１の所定寸法を測定する
制御装置３２は、操作指示部１６の操作又は遠隔操作端末２からコンピュータ３３を介して与えられる操作指示に基づいて三次元測定機本体３１を制御する
プローブ４２を含む測定領域は、撮像装置１０で撮像され、得られたビデオ信号がコンピュータ３３の画像データ変換部１１で画像データに変換されたのち、画像データ圧縮部１３でデータ圧縮され、データ通信部１４を介して遠隔操作端末２に送信されるようになっている
遠隔操作端末２から入力された操作指示は、データ通信部１４で受信され
【００１８】この実施例のように三次元測定機を用いた遠隔操作式測定システムにおいても、測定個所の画像データが測定機側から遠隔操作端末側に転送される場合、本発明の画像圧縮転送方式を利用すれば、
リアルタイムでマニュアル測定
を行うことができ
【図４】
　上記（１）ないし（３）の記載によれば、引用文献１には、以下の発明（以下、「引用発明」という。）が記載されていると認められる。
　
「三次元測定機を遠隔場所から操作し、リアルタイムでマニュアル測定を行うことができる遠隔操作式測定システムであって、
通信回線を介して相互に接続される遠隔操作端末２と三次元測定機３とを備え、
遠隔操作端末２は、 
　三次元測定機３から送信されてきた圧縮画像データを受信するとともに、操作指示を三次元測定機３に転送するデータ通信部２１、 
　受信した圧縮画像データに対してＭＰＥＧデコード又は直線補間処理を施し、画像データをもとの画素数に伸長する画像データ伸長部２２、 
　伸長された画像データを表示する画像表示部２３、 
　操作指示を入力する操作指示部２４、 
　及び三次元測定機３から送られてきた測定結果を表示する測定結果表示部２５、
を備え、 
三次元測定機３は、 
　プローブ４２を含む測定領域を撮像する撮像装置１０、
　プローブ４２によってワーク４１の所定寸法を測定する三次元測定機本体３１、 
　操作指示部１６の操作又は遠隔操作端末２からコンピュータ３３を介して与えられる操作指示に基づいて三次元測定機本体３１を制御する制御装置３２、
　及び遠隔操作端末２から入力された操作指示を受信して制御装置３２に測定コマンドを出力し、測定データに対して必要な演算処理を実行し、撮像装置１０で得られたビデオ信号を画像データに変換してデータ圧縮し、遠隔操作端末２に送信するコンピュータ３３、 
を備える、 
遠隔操作式測定システム。 」
２  引用文献２
　当審拒絶理由における引用文献２には、以下の記載がある。なお、下線は合議体が付したものである。
　
（１）  段落０００１
「【発明の詳細な説明】
【０００１】
【発明の属する技術分野】この発明は、
三次元測定機を遠隔操作する
三次元測定システム
（２）  段落００１１
「【００１１】ここで、例えば
ホストコンピュータと遠隔操作装置とがＴＣＰ／ＩＰによる通信プロトコルに基づいて相互に通信を行うものであると
インターネットを介して全世界のどこからでも三次元測定機の遠隔制御が可能になる
　上記（１）及び（２）の記載によれば、引用文献２には、以下の技術事項が記載されていると認められる。
「三次元測定機を遠隔操作する三次元測定システムにおいて、ホストコンピュータと遠隔操作装置とがＴＣＰ／ＩＰによる通信プロトコルに基づいて相互に通信を行うようにし、インターネットを介して全世界のどこからでも三次元測定機の遠隔制御を可能とする。」
３  引用文献３
　当審拒絶理由における引用文献３には、以下の記載がある。なお、下線及び訳文は合議体が付したものである。
　
（１）  段落０００１ないし０００６
「BACKGROUND OF THE INVENTION  
[0001] 
Skype
instant messages and voice or video calls
[0002] Remote premises monitoring and control is presently wide spread using specialized hardware and software applications and networks. SANSAPHONE device, for example, monitors temperature and sound levels at some installation, and then call several pre-programmed telephone numbers in case the alarm condition is being raised. 
[0003] Communication of the alarm conditions typically requires the presence of the telephone network in its traditional or cellular forms. Industrial-strength applications may also utilize Internet-protocol based networks, and 
require highly-specialized control and monitoring applications that tend to be available to a select group of subscribers only
[0004] Control and monitoring of the Mobile installations is presently a difficult problem, as the application-level mobility and support needs to be resolved. This limits the applicability and 
increases the associated costs with such monitoring applications
[0005] Finally, monitoring and control of premises performed by mobile users (via smart phones, mobile phones, etc) is fairly limited toward highly specialized solutions utilizing expensive home networking gateways and dial-up monitoring stations or applications. Typically additional fees and limitations exerted by cell-phone operators further inhibit the use of these applications. 
SUMMARY OF THE INVENTION  
[0006] The present invention is embodied in several software and hardware functional modules comprising the architecture for 
remote monitoring and control of various stationary and mobile installations
（訳文：発明の背景
［０００１］　
スカイプ
インスタントメッセージ及びボイスコール又はビデオコール
［０００２］　遠隔構内の監視及び制御が、現在、特殊なハードウェア及びソフトウェアアプリケーション及びネットワークを使用して広く普及している。例えば、ＳＡＮＳＡＰＨＯＮＥ装置は、いくつかの設備で温度及び音量を監視し、警報状態が引き起こされた時に、予めプログラムされた電話番号を呼び出す。
［０００３］　警報状態の通信は、典型的には従来の又はセルラの電話ネットワークの存在を必要とする。耐久性のあるアプリケーションは、インターネットプロトコルに基づくネットワークを利用し、
加入者のみの選択グループに利用可能であるような非常に特殊な制御及び監視アプリケーションを必要とする
［０００４］　移動体設備の制御及び監視は、現在、困難な問題となっており、アプリケーションレベルの移動性及びサポートが解決される必要がある。このことは、適用性を制限し、
このような監視アプリケーションに関するコストを増加させる
［０００５］　最後に、(スマートフォン、携帯電話等を介する）移動体ユーザによって実行される構内監視及び制御は、高価なホームネットワークゲートウェイ及びダイヤルアップ監視ステーション又はアプリケーションを利用する高度に特殊化された解決策に制限される。典型的には、携帯電話事業者によって与えられる追加的な料金や制限が、これらのアプリケーションの使用を阻害する。
発明の概要
［０００６］　本発明は、人気のあるスカイプのピア・ツー・ピアソフトウェアを使用する、
様々な固定及び可搬の設備の遠隔監視及び制御のため
（２）  段落００３４ないし００３９
「DETAILED DESCRIPTION OF EMBODIMENTS OF THE INVENTION  
[0034] Skype application provides to its users a low priced or free instant message (IM) and voice communication services using scalable peer-to-peer paradigm of computer voice, video and text communication. Due to it's high audio quality and highly scalable nature, Skype has a growing number of adopters. Several companies offer services complimentary to Skype, while utilizing Skype communication facility. 
[0035] …（略）…
[0036] This invention relates to hardware and software device and services that by interfacing with Skype instant message and voice communication facilities provide for remote premises surveillance (e.g., temperature, alarm continuity sensors, other environmental sensors) and for the remote premises-based device control (e.g., garage doors, lights, etc.) 
[0037] Referring to  FIG. 1 , a computer  104  residing at some premises  106  has a connected to it hardware interface module  105  subject to this invention. A plurality of environmental sensors and appliances  107  is connected to hardware interface module  105 . Hardware interface module can read the status of the sensors  107  as well as instruct appliances to perform a specific function under the control of the Controlling Proxy Application  104 . 
[0038] 
A remote user  102  communicates with computer  104
by utilizing Skype Communicator application  103  instant messaging and voice communication capability
[0039] Referring to  FIG. 2 , hardware interface module  105  is interacting with Home Monitoring and Controlling Proxy application  201  via a serial protocol over USB driver  204 . …（略）… As seen in  FIG. 2 , various sensors (temperature, contact, barometric pressure, water indicator, etc) can be attached to the hardware interface module  105 . Hardware interface module depicted in greater detail in  FIG. 3  can also be connected to actuators of various kinds (motors, lights, etc). 
Instant Message (IM) containing control information is sent from remote (mobile) client running Skype application  206  over Skype IM communication channel
can instruct hardware interface module  105  to actuate some of these actuators as a result of a specific Skype message received
（訳文：本発明の実施形態の詳細な説明
［００３４］　スカイプアプリケーションは、コンピュータ音声、ビデオ及びテキスト通信からなるスケーラブルなピア・ツウ・ピア・パラダイムを使用して、低額若しくは無料のインスタントメッセージ(ＩＭ)及び音声通話のサービスをそのユーザに提供する。高いオーディオ品質及び高度な拡張性のため、スカイプは、ますます多くのアダプタを有することになっている。いくつかの会社は、スカイプの通信設備を利用しつつ、スカイプを補完するサービスを提供している。
［００３５］　…（略）…
［００３６］　本発明は、スカイプのインスタントメッセージ及び音声通信の設備と接続することにより、遠隔構内監視（温度やアラームの継続的センサ、他の環境センサ等）と遠隔構内ベースの機器制御（車庫のドア、ライト等）とを適用するハードウェア及びソフトウェアの装置及びサービスに関する。
［００３７］　図１を参照すると、いくつかの構内１０６にあるコンピュータ１０４が、本発明のハードウェア・インタフェース・モジュール１０５に接続されている。複数の環境センサや機器１０７が、ハードウェア・インタフェース・モジュール１０５に接続されている。ハードウェア・インタフェース・モジュールは、センサ１０７の状態を読み込み、制御プロキシアプリケーション１０４の制御下で、特定の機能を実行するように機器に指示することができる。
［００３８］　
遠隔ユーザ１０２は、スカイプコミュニケータアプリケーション１０３のインスタント・メッセージング及び音声通信の能力を利用する
コンピュータ１０４と通信する
［００３９］　図２を参照すると、ハードウェア・インタフェース・モジュール１０５は、シリアルプロトコルのＵＳＢドライバ２０４を介して、ホーム監視・制御プロキシアプリケーション２０１と対話している。…（略）…図２に見られるように、様々なセンサ（温度、接触、気圧、水分インジケータ等）を、ハードウェアインターフェースモジュール１０５に取り付ることができる。図３でより詳細に示されるハードウェア・インタフェース・モジュールは、また、様々な種類(モータ、ライト等)のアクチュエータに接続することができる。
制御情報を含むインスタントメッセージ(ＩＭ)が、スカイプＩＭ通信チャネルを介し、スカイプアプリケーション２０６を実行する遠隔(モバイル)クライアントから送信される
受信した特定のスカイプ・メッセージの結果として、いくつかのアクチュエータを作動させるように、ハードウェア・インタフェース・モジュール１０５に指示する
【図１】
【図２】
　図１には、「
User 102
ユーザ１０２
側の
Skype Mobile Device 103
スカイプモバイル装置１０３
と、
Remote Installation 106
遠隔設備１０６
側の
Computer 104
コンピュータ１０４
とが、
IP Network 101
ＩＰネットワーク１０１
を介して通信する
（３）  段落００４６
「[0046] Referring now to  FIG. 8 , in another aspect of this invention, user voice-driven monitoring and control are realized by combining Home Monitoring and Controlling Proxy application  201 , GUI  202 , component  204  and hardware interface module  105  with 
text-to-speech converter  801
Voice recognition (VR) module  802
Voice recognition module  802  translates voice commands received over Skype from the remote user into the appropriate control signals to be issued by  201  to  105  within the controlled and monitored premises
Remote user can say Turn on Light
802  translates this command into a textual command Turn on light, causing  201  to translate it into Turn On 1 instruction issued over  204
temperature reading from  105  can be translated by  201  into a text string Temperature in the Bedroom is 75 degrees
801  to issue a voice prompt over Skype voice channel with the same content
（訳文：［００４６］　ここで図８を参照すると、本発明の別の態様では、ホーム監視・制御プロキシアプリケーション２０１、ＧＵＩ２０２、構成要素２０４及びハードウェア・インタフェース・モジュール１０５を
テキスト−スピーチコンバータ８０１
音声認識（ＶＲ）モジュール８０２
音声認識モジュール８０２は、スカイプを介して遠隔ユーザから受信された音声コマンドを、制御されて監視される構内にて、２０１から１０５に発せられる適当な制御信号に変換する
遠隔ユーザは、「ライトをつけて」と言うことができる
８０２は、このコマンドをテキスト・コマンド「ライトをつけて」に変換し、これを２０１が「１をつけて」という命令に変換して２０４に発し
１０５からの温度の読みは、２０１によってテキストストリング「寝室の温度は７５度です」に変換され、８０１がスカイプ音声チャネルを介して同じ内容で音声プロンプトを発する
【図８】
（４）  段落００４９
「[0049] Referring now to  FIG. 11 , in another aspect of this innovation, locally occurring alarm event or the received over Skype remote user instruction can trigger 
an acquisition of the surveillance video
video camera  1103
video file can then be transmitted to the remote user
（訳文：［００４９］　ここで図１１を参照すると、本発明の別の態様では、局所的に発生するアラームイベントやスカイプで受信した遠隔ユーザの指令が、ビデオ・ドライバ・ソフトウェア１１０２及び
ビデオカメラ１１０３
監視映像を取得する
ビデオファイルは
遠隔ユーザに送信され
【図１１】
　上記（１）ないし（４）の記載によれば、引用文献３には、以下の技術事項が記載されていると認められる。
「加入者のみの選択グループに利用可能であるような非常に特殊な制御及び監視アプリケーションを必要としたり、監視アプリケーションに関するコストを増加させたりすることなく、様々な固定及び可搬の設備の遠隔監視及び制御を行うために、ＩＰネットワークを介して互いに通信する遠隔設備側のコンピュータとユーザ側のモバイル装置とで、インスタントメッセージ及びボイスコール又はビデオコールが可能なスカイプアプリケーションを使用することとし、
　ユーザは、モバイル装置を用いてインスタントメッセージ又は「ライトをつけて」などの音声によりコマンドを発し、
　遠隔設備側のコンピュータは、ユーザ側から受信したインスタントメッセージのコマンドを設備に対する制御信号に変換し、若しくは、ユーザ側から受信した音声コマンドを音声認識モジュールによってテキストコマンドに変換してから設備に対する制御信号に変換して、設備を制御し、
　また、遠隔設備側のコンピュータは、センサ状態の情報をインスタントメッセージとしてユーザ側に送信し、若しくは、センサ状態の情報をテキストストリングに変換してテキスト−スピーチコンバータにより「寝室の温度は７５度です」などの音声プロンプトとしてユーザ側に送信し、
　さらに、遠隔設備側のコンピュータは、ビデオカメラからの監視映像を取得し、ビデオファイルとして遠隔ユーザ側に送信する。」
第５  対比・判断
１  対比
　本件発明１と、上記第４の１で述べた引用発明とを対比すると、以下のとおりである。 
（１）　引用発明における「遠隔操作端末２」は、「リアルタイムでマニュアル測定を行う」ため、「操作指示部２４」により入力された「操作指示」を「データ通信部２１」によって「三次元測定機３に転送する」とともに、「三次元測定機３から送られてきた測定結果」を「測定結果表示部２５」により表示する機能を有しているが、この機能を実現するために、操作指示を送信データに変換するデータ変換、及び受信データを表示用データに変換するデータ変換が行われていることは明らかである。 
　よって、上記機能を有する「遠隔操作端末２」と、本件発明１における「インスタント・メッセンジャー機能、及び、ユーザー入力を測定制御用メッセージに変換すると共に、測定機からのメッセージを操作画面表示用制御情報に変換するメッセージ情報変換機能、更に、音声と入力をメッセージに変換すると共に、前記測定機からの操作応答結果や測定結果を含む音声と情報を音声出力と画面表示に変換する音声＋操作情報変換機能を有する、通話可能なユーザー側の携帯端末」とは、「ユーザー入力を測定制御用送信データに変換すると共に、測定機からの受信データを操作画面表示用制御情報に変換するデータ変換機能を有する、ユーザー側の端末」である点で共通する。 
（２）　引用発明における「三次元測定機３」の「コンピュータ３３」は、「遠隔操作端末２」から「操作指示を受信して制御装置３２に測定コマンドを出力」する機能を有しているが、この機能を実現するために、「遠隔操作端末２」からの受信データを測定コマンドへ変換するデータ変換が行われており、かかる測定コマンドを「制御装置３２」に送信していることが明らかである。 
　また、引用発明における「三次元測定機３」の「コンピュータ３３」は、「測定データに対して必要な演算処理を実行」する機能を有しているが、「遠隔操作式測定システム」が「リアルタイムでマニュアル測定を行うことができる」ものとされ、「遠隔操作端末２」が「三次元測定機３から送られてきた測定結果を表示する」するとされていることからすれば、「三次元測定機３」の「コンピュータ３３」が、測定データに対する演算処理の他に、「遠隔操作端末２」での表示に供するため、測定結果を送信データに変換して送信する機能を有していることが明らかである。
　よって、「三次元測定機３」の「コンピュータ３３」と、本件発明１における「インスタント・メッセンジャー機能、及び、前記測定制御用メッセージを測定機コマンドに変換して送信すると共に、前記測定機からの制御情報を操作画面表示用メッセージに変換するメッセージ変換機能、更に、音声を認識して制御コマンドに変換すると共に、前記測定機の応答を音声合成する音声認識・合成＋メッセージ変換機能を有する、前記ユーザー側の携帯端末と交信可能な通信端末」とは、「前記測定制御用送信データを測定機コマンドに変換して送信すると共に、前記測定機からの制御情報を操作画面表示用送信データに変換するデータ変換機能を有する、前記ユーザー側の端末と交信可能な通信端末」である点で共通する。 
  
（３）　引用発明における「三次元測定機３」の「プローブ４２によってワーク４１の所定寸法を測定する三次元測定機本体３１」は、本件発明１における「測定機」が有する「測定部」に相当する。 
  
（４）　引用発明における「三次元測定機３」の「制御装置３２」は、「遠隔操作端末２からコンピュータ３３を介して与えられる操作指示に基づいて三次元測定機本体３１を制御する」機能を有しているが、上記（２）で述べたように、「三次元測定機３」の「コンピュータ３３」が、「遠隔操作端末２」での表示に供するために測定結果を送信する機能を有しているのであるから、「三次元測定機３」の「制御装置３２」は「コンピュータ３３」に対し、測定結果を送信する機能を有していることが明らかである。 
　よって、「三次元測定機３」の「制御装置３２」は、本件発明１における「測定機」が有する「前記通信端末からの指令により該測定部を動作させると共に測定結果を返信する制御部」に相当するといえる。
  
（５）　引用発明では、「制御装置３２」が「コンピュータ３３」と信号をやりとりするために「入出力部」を有していることが明らかであり、これが、本件発明１における「該通信端末と信号をやりとりするための入出力部」に相当する。 
  
（６）　引用発明における「三次元測定機を遠隔場所から操作し、リアルタイムでマニュアル測定を行うことができる遠隔操作式測定システム」は、「通信回線を介して相互に接続され」て「操作指示」や「測定結果」をやりとりする「遠隔操作端末２と三次元測定機３とを備え」ており、この「遠隔操作式測定システム」と、本件発明１における「遠隔操作可能な自然会話型の測定システム」とは、「遠隔操作可能な対話型の測定システム」である点で共通する。 
２  一致点及び相違点
　上記１の対比の結果をまとめると、本件発明と引用発明との一致点及び相違点は、以下のとおりである。 
（１）  一致点 
「　ユーザー入力を測定制御用送信データに変換すると共に、測定機からの受信データを操作画面表示用制御情報に変換するデータ変換機能を有する、ユーザー側の端末と、 
　前記測定制御用送信データを測定機コマンドに変換して送信すると共に、前記測定機からの制御情報を操作画面表示用送信データに変換するデータ変換機能を有する、前記ユーザー側の端末と交信可能な通信端末と、
該通信端末と信号をやりとりするための入出力部、測定部、及び、前記通信端末からの指令により該測定部を動作させると共に測定結果を返信する制御部を有する測定機と、 
　を備えたことを特徴とする遠隔操作可能な対話型の測定システム。」 
（２）  相違点 
ア  相違点１
　本件発明１では、測定システムが「自然会話型」のシステムであって、ユーザー側の端末及び通信端末が共に「インスタント・メッセンジャー機能」を有しており、ユーザー側の端末は、「通話可能」であって「ユーザー入力を測定制御用メッセージに変換すると共に、測定機からのメッセージを操作画面表示用制御情報に変換するメッセージ情報変換機能、更に、音声と入力をメッセージに変換すると共に、前記測定機からの操作応答結果や測定結果を含む音声と情報を音声出力と画面表示に変換する音声＋操作情報変換機能」を有し、通信端末は、「前記測定制御用メッセージを測定機コマンドに変換して送信すると共に、前記測定機からの制御情報を操作画面表示用メッセージに変換するメッセージ変換機能、更に、音声を認識して制御コマンドに変換すると共に、前記測定機の応答を音声合成する音声認識・合成＋メッセージ変換機能」を有するのに対して、引用発明では、測定システムが「自然会話型」のシステムではなく、ユーザー側の端末及び通信端末が「インスタント・メッセンジャー機能」を有しておらず、「メッセージ」や「音声」に関する変換機能も有していない点。
イ  相違点２
　ユーザー側の端末が、本件発明１では、「携帯端末」であるのに対して、引用発明では、そのように特定されていない点。
３  相違点についての判断
（１）  相違点１について
　上記第４の１で述べたように、引用発明は、「三次元測定機を遠隔場所から操作する」ため、「通信回線を介して相互に接続される遠隔操作端末２と三次元測定機３と」で、「操作指示」、「測定結果」及び「画像データ」をやりとりするものである。ここで、引用発明が使用する「通信回線」がどのようなものであるのかは特定されていないが、測定機器の遠隔制御又は監視にインターネットを用いることが、例示するまでもなく広く一般に知られており、また、上記第４の２で述べたように、引用文献２において、「インターネットを介して」「三次元測定機の遠隔制御」を行う技術が記載されている点にも鑑みれば、引用発明において、「遠隔操作端末２と三次元測定機３」の間の「通信回線」として、「インターネット」を採用することは、当業者が当然に考慮し得ることということができる。
　一方、上記第４の３で述べたように、引用文献３には、
「加入者のみの選択グループに利用可能であるような非常に特殊な制御及び監視アプリケーションを必要としたり、監視アプリケーションに関するコストを増加させたりすることなく、様々な固定及び可搬の設備の遠隔監視及び制御を行うために、ＩＰネットワークを介して互いに通信する遠隔設備側のコンピュータとユーザ側のモバイル装置とで、インスタントメッセージ及びボイスコール又はビデオコールが可能なスカイプアプリケーションを使用することとし、
　ユーザは、モバイル装置を用いてインスタントメッセージ又は「ライトをつけて」などの音声によりコマンドを発し、
　遠隔設備側のコンピュータは、ユーザ側から受信したインスタントメッセージのコマンドを設備に対する制御信号に変換し、若しくは、ユーザ側から受信した音声コマンドを音声認識モジュールによってテキストコマンドに変換してから設備に対する制御信号に変換して、設備を制御し、
　また、遠隔設備側のコンピュータは、センサ状態の情報をインスタントメッセージとしてユーザ側に送信し、若しくは、センサ状態の情報をテキストストリングに変換してテキスト−スピーチコンバータにより「寝室の温度は７５度です」などの音声プロンプトとしてユーザ側に送信し、
　さらに、遠隔設備側のコンピュータは、ビデオカメラからの監視映像を取得し、ビデオファイルとして遠隔ユーザ側に送信する」
という技術事項が記載されている。
　そして、引用発明と引用文献３に記載された技術事項とは、測定機器を遠隔場所から操作するため、通信回線を介して相互に接続される遠隔操作端末と測定機器とで、操作指示、測定結果及び画像データをやりとりするものであるという点で、互いに共通するものであり、引用発明は、引用文献３に記載された技術事項と同様に、「インターネット」を用いて遠隔操作端末と測定機器との間の通信を行い得るものであり、また、引用発明は、引用文献３に記載された技術事項のように、「加入者のみの選択グループに利用可能であるような非常に特殊な制御及び監視アプリケーションを必要としたり、監視アプリケーションに関するコストを増加させたりすること」がないようにするという課題をも、当然に有するものと認められる。
　したがって、引用発明において、「加入者のみの選択グループに利用可能であるような非常に特殊な制御及び監視アプリケーションを必要としたり、監視アプリケーションに関するコストを増加させたりすること」がないようにするために、上述のような共通点を有する引用文献３に記載された技術事項を採用し、「遠隔操作端末２と三次元測定機３」とで、「インスタントメッセージ及びボイスコール又はビデオコールが可能なスカイプアプリケーションを使用する」ようにして、「遠隔操作端末２」を使用するユーザが、「インスタントメッセージ又は」「音声によりコマンドを発」するようにし、「三次元測定機３」の「コンピュータ３３」は、「ユーザ側から受信したインスタントメッセージのコマンドを設備に対する制御信号に変換し、若しくは、ユーザ側から受信した音声コマンドを音声認識モジュールによってテキストコマンドに変換してから設備に対する制御信号に変換」するようにし、また、「三次元測定機３」の「コンピュータ３３」は、「測定結果」を「インスタントメッセージとしてユーザ側に送信し、若しくは、」「テキストストリングに変換してテキスト−スピーチコンバータにより」「音声プロンプトとしてユーザ側に送信」するようにすることは、当業者であれば容易に想到し得たことということができる。
　そのようにした場合、「遠隔操作端末２と三次元測定機３」とで使用することになる「インスタントメッセージ及びボイスコール又はビデオコールが可能なスカイプアプリケーション」が、本件発明におけるユーザー側の端末及び通信端末が共に有する「インスタント・メッセンジャー機能」に相当し、通信端末を「通話可能」とする機能にも相当する。また、「遠隔操作端末２」を使用するユーザが、「インスタントメッセージ又は」「音声によりコマンドを発」するようになり、「三次元測定機３」の「コンピュータ３３」は、「測定結果」を「インスタントメッセージとしてユーザ側に送信し、若しくは、」「テキストストリングに変換してテキスト−スピーチコンバータにより」「音声プロンプトとしてユーザ側に送信」するようになることから、「遠隔操作端末２」が、本件発明における「ユーザー側の端末」が有する「ユーザー入力を測定制御用メッセージに変換すると共に、測定機からのメッセージを操作画面表示用制御情報に変換するメッセージ情報変換機能、更に、音声と入力をメッセージに変換すると共に、前記測定機からの操作応答結果や測定結果を含む音声と情報を音声出力と画面表示に変換する音声＋操作情報変換機能」に相当する機能を有することになることが、明らかである。また、「三次元測定機３」の「コンピュータ３３」は、「ユーザ側から受信したインスタントメッセージのコマンドを設備に対する制御信号に変換し、若しくは、ユーザ側から受信した音声コマンドを音声認識モジュールによってテキストコマンドに変換してから設備に対する制御信号に変換」するようになり、「測定結果」を「インスタントメッセージとしてユーザ側に送信し、若しくは、」「テキストストリングに変換してテキスト−スピーチコンバータにより」「音声プロンプトとしてユーザ側に送信」するようになることから、「三次元測定機３」の「コンピュータ３３」が、本件発明における「通信端末」が有する「前記測定制御用メッセージを測定機コマンドに変換して送信すると共に、前記測定機からの制御情報を操作画面表示用メッセージに変換するメッセージ変換機能、更に、音声を認識して制御コマンドに変換すると共に、前記測定機の応答を音声合成する音声認識・合成＋メッセージ変換機能」に相当する機能を有することになることが、明らかである。更に、引用文献３に記載された技術事項によれば、ユーザから遠隔設備側に対し「ライトをつけて」との音声が送信され、また、遠隔設備側からユーザに対し「寝室の温度は７５度です」との音声が送信されるなど、ユーザと遠隔設備側のコンピュータとの間で、自然会話のような音声のやりとりがされていることが理解でき、かかる技術事項を引用発明に採用した場合には、「遠隔操作端末２」を使用するユーザと「三次元測定機３」の「コンピュータ３３」との間で、自然会話のような音声のやりとりがされることになるといえる。したがって、引用発明において、引用文献３に記載された技術事項を採用した場合に、相違点１に係る本件発明の構成を備えるようになることは明らかである。
（２）  相違点２について
　ユーザ側の「携帯端末」によって機器の遠隔制御又は監視を行うことは周知の技術であって、引用文献３にも「ユーザ側のモバイル装置」によって「設備の遠隔監視及び制御を行う」技術が記載されていることからすれば、引用発明において、そのような周知の技術を採用し、ユーザ側の「遠隔操作端末２」を「携帯端末」とすることは、ユーザ側で必要とする演算処理能力や可搬性等にも応じて、当業者が適宜決定し得る単なる設計的事項にすぎないというべきである。
４  請求人の主張について
　請求人は令和元年　５月２４日に提出した意見書において、本件発明は、単に「測定開始」や「結果表示」等の単語認識をするだけでなく、自然言語処理によって測定機と自然会話しながら制御できるようにしたものであるのに対し、引用文献３には、「音声認識機能」と「音声合成機能」を設けることが記載されているだけであって、「自然言語処理」を可能とすることまでは記載されていないことから、引用文献３に記載された技術事項に基づき、「自然言語で会話できる測定機」を当業者が容易に想到し得るということはでいないという旨の主張をしている。
　しかしながら、本件出願の請求項１では、単に「自然会話型」と記載されているのみであって、具体的にどのようにして「自然会話」を実現しているのか等が何ら特定されておらず、一方、引用文献３には、上記３の（１）で述べたように、ユーザと遠隔設備側のコンピュータとの間で、「ライトをつけて」や「寝室の温度は７５度です」などの音声のやりとりがされることが示されており、これは、請求人のいうような単なる単語の認識ではなく、自然会話にあるような文の認識であると認められるから、本件発明の「自然会話型」という事項と、引用文献３に示されている、「ライトをつけて」や「寝室の温度は７５度です」などの音声のやりとりがされるという事項との間に、差異があるとは認められない。
　ただし、引用文献３においても、「ライトをつけて」や「寝室の温度は７５度です」などの音声のやりとりが具体的にどのようにして実現されているのかが明確に記載されていないことから、請求人のいう単なる単語認識の延長線上にあるような、単なる定型文の認識によってこれが実現される可能性も否定できず、そのような手法が本件発明における「自然会話型」という事項の範疇に含まれないと解せるのであれば、この点は一応、両者の差異であるといえる。しかしながら、請求人も上記意見書において、本件出願の出願前に発行された文献を参照しつつ「人がコンピュータと直接コミュニケーションする」には「基本技術である」「自然言語処理」が必要であると述べているように、単なる定型文の認識ではない「自然言語処理」の技術は、本件出願の出願前に周知の技術となっており、引用文献３に接した当業者であれば、「ライトをつけて」や「寝室の温度は７５度です」などの音声のやりとりを実現するために、周知の「自然言語処理」の技術を採用すべきということを、当然に考慮し得るものと認められる。
　以上によれば、上記３の（１）で述べたように、引用発明において引用文献３に記載された技術事項を採用した場合には、「自然会話型」の測定システムが実現されることが明らかといわざるを得ない。
　よって、請求人の主張は採用することができない。
第６  むすび
　以上のとおりであるから、本件発明は、引用発明、引用文献２に記載された技術事項及び引用文献３に記載された技術事項に基づき、当業者が容易に発明をすることができたものであり、特許法第２９条第２項の規定により特許を受けることができない。
　したがって、他の請求項に係る発明について検討するまでもなく、本件出願は拒絶されるべきものである。
　よって、結論のとおり審決する。